(57)【要約】  【課題】  モジュラーコネクタやカールコードプラグが、過大な引張り力やねじり力による曲げモーメントにより破損することがないハンドセットとカールコードの接続構造を提供する。  【解決手段】  カールコード２に設けられたカールコードプラグ３を、ハンドセット本体１に設けられたモジュラーコネクタ４に着脱自在に嵌合することにより、ハンドセット本体１とカールコード２を接続するハンドセットとカールコードとを接続する場合、ハンドセット本体１に形成されたモジュラーコネクタ取り付け部１ｅに、モジュラーコネクタ４を隙間５を存して取り付けることにより、ハンドセット本体１に対しモジュラーコネクタ４とカールコードプラグ３が共に相対動可能としたもので、モジュラーコネクタ４に過大な引張り力やねじり力による曲げモーメントが作用することがないため、モジュラーコネクタ４やカールコードプラグ３が破損することがない。【選択図】  図５
2006197493.tif 000002
【特許請求の範囲】
【請求項１】
プラグを着脱可能に嵌合するモジュラーコネクタの取付構造であって、モジュラーコネクタの周囲に隙間を設けて前記モジュラーコネクタを収納するモジュラーコネクタ取り付け部を備え、前記モジュラーコネクタと前記モジュラーコネクタに嵌合されたプラグが共に前記隙間を揺動することを特徴とするモジュラーコネクタ取付構造。
【請求項２】
ハンドセット本体と電話機との間を接続するカールコードに設けられたカールコードプラグを、前記ハンドセット本体に設けられたモジュラーコネクタに着脱可能に嵌合することにより、前記ハンドセット本体と前記カールコードを接続するハンドセットとカールコードの接続構造であって、前記ハンドセット本体に形成されたモジュラーコネクタ取り付け部と、前記モジュラーコネクタ取り付け部に、前記モジュラーコネクタを隙間を存して取り付けるカールコードプラグとを備え、前記ハンドセット本体に対し、前記モジュラーコネクタと前記モジュラーコネクタに嵌合された前記カールコードプラグが共に相対動可能に構成したことを特徴とするカールコード接続構造。
【請求項３】
前記モジュラーコネクタ取り付け部に、前記カールコードプラグの挿入方向へ突出する突出部を突設して、前記突出部を支点に前記モジュラーコネクタを回動可能としてなる請求項２に記載のカールコード接続構造。
【請求項４】
前記突出部を、前記カーコードプラグ挿入口側のほぼ中央部付近に突設してなる請求項３に記載のカールコード接続構造。
【請求項５】
ハンドセット本体と電話機との間を接続するカールコードに設けられたカールコードプラグを、前記ハンドセット本体に設けられたモジュラーコネクタに着脱可能に嵌合することにより、前記ハンドセット本体に前記カールコードを接続した電話機のハンドセットであって、前記請求項２ないし４の何れかに記載のカールコード接続構造により前記ハンドセット本体に前記カールコードを接続したことを特徴とする電話機のハンドセット。
【発明の詳細な説明】
【技術分野】
【０００１】
本発明は、モジュラーコネクタ取付構造、カールコード接続構造及びこれら取付構造を採用した電話機のハンドセットに関する。
【背景技術】
【０００２】
従来机上等に載置して使用する固定電話機では、電話機本体とハンドセットの間が伸縮可能なカールコードにより接続されており、ハンドセットとカールコードの間は、モジュラーコネクタとカールコードプラグにより切り離し可能に接続されている。
【０００３】
モジュラーコネクタは、ハンドセット側に設けられ、カールコードプラグはカールコード側に設けられており、カールコードプラグをハンドセット側のモジュラーコネクタへ挿入することによって、モジュラーコネクタとカールコードプラグに設けられた接点が電気的に接続されると同時に、カールコードプラグに設けられた係止爪がモジュラーコネクタに係止されて、モジュラーコネクタよりカールコードプラグが抜け外れないようになっている。
【０００４】
一方机上等に置かれた電話機を使用する場合、電話機本体よりハンドセットを取り上げて通話を行うが、このときカールコードが引張られたり伸縮することにより、カールコードに過大な引張り力やねじり力が作用し、故障や接触不良の原因となる。
【０００５】
かかる不具合を改善するため例えば特許文献１で、カールコードをハンドセットの外殻部に対して回動自在に内蔵させた送受話器が提案されている。
【０００６】
前記特許文献１に記載された送受話器は、ハンドセットをレシーバだけが内蔵された外形ほぼ半球形状に形成し、ハンドセットのほぼ半球形状の外殻部をレシーバ及びカールコードに対して回動可能に構成したもので、ハンドセットと電話機本体を繋ぐカールコードがねじれない等の効果が得られる。
【特許文献１】特開２００２−２１８０３５号公報
【発明の開示】
【発明が解決しようとする課題】
【０００７】
しかし従来のハンドセットとカールコードの接続構造では、カールコードプラグを接続するモジュラーコネクタがハンドセット側に固定されているため、電話機の使用中にカールコードに過大な引張り力が作用したり、カールコードの伸縮に伴いカールコードプラグにねじり力が作用すると、過大な引張り力やねじり力がカールコードプラグを介して直接モジュラーコネクタに曲げモーメントとして作用し、その結果モジュラーコネクタが破損したり、モジュラーコネクタよりカールコードプラグが抜け外れてしまうおそれがある。
【０００８】
また長期間使用している間に、モジュラーコネクタ内でカールコードプラグが摺動して、結合部や接点が摩耗し、接触不良の原因となるおそれもある。
【０００９】
一方モジュラーコネクタとカールコードプラグの形状は、規格化されていて世界的に共通となっているため、前記特許文献１に記載されているカールコードをハンドセットの外殻部に対し回動自在とした接続構造は、ハンドセットとカールコードの接続構造には採用できないと共に、仮令前記特許文献１に記載された接続構造が採用できたとしても、部品点数が多くなるため、部品コストが上る等の問題もある。
【００１０】
本発明はかかる問題を改善するためになされたもので、モジュラーコネクタやカールコードプラグが、過大な引張り力やねじり力による曲げモーメントにより破損することがないハンドセットとカールコードの接続構造及び電話機のハンドセットを提供することを目的とするものである。
【課題を解決するための手段】
【００１１】
本発明のハンドセットとカールコードの接続構造は、ハンドセット本体に形成されたモジュラーコネクタ取り付け部と、モジュラーコネクタ取り付け部にモジュラーコネクタを隙間を存して取り付けるカールコードプラグとを備え、ハンドセット本体に対し、モジュラーコネクタとモジュラーコネクタに嵌合されたカールコードプラグが共に相対的に揺動可能に構成したものである。
【発明の効果】
【００１２】
本発明によれば、プラグが左右に引っ張られたときにモジュラーコネクタもプラグと一体となってコネクタ周辺の隙間を揺動することにより、モジュラーコネクタに過大な引張り力やねじり力による曲げモーメントが作用することがないため、モジュラーコネクタやカールコードプラグが破損したり、モジュラーコネクタよりカールコードプラグが抜け外れてしまうことがなく、しかも、モジュラーコネクタ内でカールコードプラグが摺動することがないため、長期間使用していても摺動面や接点が摩耗することがなくなり、これによって接触不良を起こすことがないため信頼性が向上すると共に、別部品を必要とせずにモジュラーコネクタやカールコードプラグを保護することができるため、部品コストの削減が図れるようになる。
【発明を実施するための最良の形態】
【００１３】
本発明の請求項１記載のモジュラーコネクタ取付構造は、プラグを着脱可能に嵌合するモジュラーコネクタの取付構造であって、モジュラーコネクタの周囲に隙間を設けて前記モジュラーコネクタを収納するモジュラーコネクタ取り付け部を備え、前記モジュラーコネクタと前記モジュラーコネクタに嵌合されたプラグが共に前記隙間を揺動することを特徴とするものである。
【００１４】
前記構成により、プラグに過大な引張力やねじり力が作用した場合、モジュラーコネクタもプラグと一体となってコネクタ周辺の隙間を揺動するため、モジュラーコネクタやプラグに過大な引張力やねじり力による曲げモーメントが作用することがなくなり、これによってモジュラーコネクタやプラグが破損したり、モジュラーコネクタよりプラグが抜け外れてしまうことがない。
【００１５】
またモジュラーコネクタ内でプラグが摺動することがないため、長時間使用しても摺動面や接点が摩耗することがなくなり、これによって接触不良を起こすことがないため信頼性が向上すると共に、別部品を必要とせずにモジュラーコネクタやプラグを保護することができるため、部品コストの削減が図れるようになる。
【００１６】
本発明の請求項２記載のカールコード接続構造は、ハンドセット本体と電話機との間を接続するカールコードに設けられたカールコードプラグを、ハンドセット本体に設けられたモジュラーコネクタに着脱可能に嵌合することにより、ハンドセット本体と前記カールコードを接続するハンドセットとカールコードの接続構造であって、ハンドセット本体に形成されたモジュラーコネクタ取り付け部と、取り付け部に、モジュラーコネクタを隙間を存して取り付けるカールコードプラグとを備え、ハンドセット本体に対し、モジュラーコネクタとモジュラーコネクタに嵌合されたカールコードプラグが共に相対動可能に構成したことを特徴とするものである。
【００１７】
前記構成により、通話中カールコードに過大な引張り力やねじり力が作用した場合、ハンドセット本体に対しモジュラーコネクタが相対動すると同時に、モジュラーコネクタに嵌合されたカールコードプラグもモジュラーコネクタと共に可動するため、モジュラーコネクタやカールコードプラグに過大な引張り力やねじり力による曲げモーメントが作用することがなくなり、これによってモジュラーコネクタやカールコードプラグが破損したり、モジュラーコネクタよりカールコードプラグが抜け外れてしまうことがない。
【００１８】
またモジュラーコネクタ内でカールコードプラグが摺動することがないため、長期間使用していても摺動面や接点が摩耗することがなくなり、これによって接触不良を起こすことがないため信頼性が向上すると共に、別部品を必要とせずにモジュラーコネクタやカールコードプラグを保護することができるため、部品コストの削減が図れるようになる。
【００１９】
本発明の請求項３記載のカールコード接続構造は、モジュラーコネクタ取り付け部に、カールコードプラグの挿入方向へ突出する突出部を突設して、この突出部を支点にモジュラーコネクタを回動可能としたものである。
【００２０】
前記構成により、カールコードに作用する引張り力やねじり力を突出部が支持するため、モジュラーコネクタやカールコードプラグに過大な引張り力やねじり力による曲げモーメントが作用するのを防止することができる。
【００２１】
本発明の請求項４記載のカールコード接続構造は、突出部をカーコードプラグ挿入口側のほぼ中央部付近に突設したものである。
【００２２】
前記構成により、モジュラーコネクタ取り付け部とモジュラーコネクタとの間の隙間を最小限にできるため、ハンドセット本体の少ないスペースにも容易にモジュラーコネクタ取り付け部を形成することができる。
【００２３】
本発明の請求項５記載の電話機のハンドセットは、ハンドセット本体と電話機との間を接続するカールコードに設けられたカールコードプラグを、ハンドセット本体に設けられたモジュラーコネクタに着脱可能に嵌合することにより、ハンドセット本体にカールコードを接続した電話機のハンドセットであって、請求項２ないし４の何れかに記載のカールコード接続構造によりハンドセット本体にカールコードを接続したものである。
【００２４】
前記構成により、通話中カールコードに過大な引張り力やねじり力が作用した場合、ハンドセット本体に対しモジュラーコネクタが相対動すると同時に、モジュラーコネクタに嵌合されたカールコードプラグもモジュラーコネクタと共に可動するため、モジュラーコネクタやカールコードプラグに過大な引張り力やねじり力による曲げモーメントが作用することがなくなり、これによってモジュラーコネクタやカールコードプラグが破損したり、モジュラーコネクタよりカールコードプラグが抜け外れてしまうことがない。
【００２５】
またモジュラーコネクタ内でカールコードプラグが摺動することがないため、長期間使用していても摺動面や接点が摩耗することがなくなり、これによって接触不良を起こすことがないため信頼性が向上すると共に、別部品を必要とせずにモジュラーコネクタやカールコードプラグを保護することができるため、部品コストの削減が図れるようになる。
【００２６】
本発明の実施の形態を、図面を参照して詳述する。
【００２７】
図１はハンドセットの斜視図、図２はハンドセットよりカールコードを外した状態の斜視図、図３は図１のＡ−Ａ線に沿う断面図、図４は図２のＢ−Ｂ線に沿う断面図、図５は図１のＣ−Ｃ線に沿うモジュラーコネクタ取り付け部の断面図、図６ないし図８は作用説明図である。
【００２８】
図１及び図２に示すハンドセット本体１は、不使用時図示しない電話機のハンドセット載置部に載置されており、ハンドセット本体１と電話機の間は、カールコード２により接続されている。
【００２９】
ハンドセット本体１は、送話部１ａと受話部１ｂを有していて、送話部１ａと受話部１ｂの間は握り部１ｃにより連結されており、使用時下側となる送話部１ａの外周面に、カールコード２の一端側に取り付けられたカールコードプラグ３を差し込む挿入口１ｄが開口されている。
【００３０】
挿入口１ｄの内側には、カールコードプラグ３を嵌合するモジュラーコネクタ４（図５中二点鎖線で示す）が設けられており、モジュラーコネクタ４は、ハンドセット本体１の送話部１ａ内に設けられたモジュラーコネクタ取り付け部１ｅ内に可動可能に収容されている。
【００３１】
モジュラーコネクタ取り付け部１ｅは図５に示すように、ハンドセット本体１と一体成形されたほぼ凸形の側壁により幅広部１ｆと幅狭部１ｇが形成されていて、幅狭部１ｇが挿入口１ｄ側に位置しており、幅狭部１ｇの側壁１ｈ内面には、挿入口１ｄのほぼ中心Ｏと一致する位置に、突起よりなる突出部１ｉがカールコードプラグ３の挿入方向に突設されている。
【００３２】
そしてこの突出部１ｉを支点として、モジュラーコネクタ取り付け部１ｅ内に収容されたモジュラーコネクタ４がモジュラーコネクタ取り付け部１ｅとの間の隙間を利用して揺動可能となっている。
【００３３】
図４に示すように、モジュラーコネクタ４は、樹脂により一体成形された中空なほぼ箱形状となっていて、送話部１ａの挿入口１ｄと合致する位置に、カールコードプラグ３の断面よりやや大きな四角形状の開口部４ａが開口されている。
【００３４】
モジュラーコネクタ４の下面は、開口部４ａ側が低く、反対側が高くなった傾斜面４ｂとなっていて、鋭角となった下端部が、突出部１ｉの近傍に形成された段部１ｊに当接され、モジュラーコネクタ４の上面には、送話部１ａの内面に突設されたリブ１ｋの先端が当接されている。
【００３５】
モジュラーコネクタ４の開口部４ａと反対側の側面には、図５に示すように、一対のストッパ４ｃが突設されていて、これらストッパ４ｃは、モジュラーコネクタ取り付け部１ｅの幅広部１ｆを形成する側壁１ｍの切欠部１ｎ内にあって、モジュラーコネクタ取り付け部１ｅ内でのモジュラーコネクタ４の揺動範囲を規制している。
【００３６】
幅広部１ｆの側壁１ｍは、モジュラーコネクタ４が奥方へ移動するのを規制するもので、モジュラーコネクタ４がモジュラーコネクタ取り付け部１ｅ内で回動できるように、モジュラーコネクタ４の側面と側壁１ｍの間には、図５に示すように予め隙間５が形成されている。
【００３７】
またモジュラーコネクタ４の両側面には、幅広部１ｆ内に嵌合するリブ４ｄが斜め方向に突設されており、これらリブ４ｄと幅広部１ｆの側壁の間にも、モジュラーコネクタ取り付け部１ｅ内でモジュラーコネクタ４が回動できるように隙間５が形成されている。
【００３８】
一方カールコード２側に設けられたカールコードプラグ３は、モジュラーコネクタ４の開口部４ａよりモジュラーコネクタ４内に挿脱可能な角ブロック状に形成されていて、先端側上面には、モジュラーコネクタ４側に設けられた金属線よりなる接点(図示せず)に電気的に接続される複数の接点６が並設されている。
【００３９】
カールコードプラグ３の先端側下部には、両側面に角形の突起３ａが突設されていると共に、先端側下面には、弾性を有する係止爪３ｂが一体に突設されている。
【００４０】
係止爪３ｂは、図４に示すように斜め下方に延設されていて、先端部が送話部１ａの挿入口１ｄより外方へ突出するようになっており、係止爪３ｂの下面には、モジュラーコネクタ４の開口部４ａ下縁に係脱可能な係止突起３ｃが突設されている。
【００４１】
次に前記構成されたハンドセットとカールコードの接続構造の作用を、図６ないし図８を参照して説明する。
【００４２】
電話機の使用状態では、電話機とハンドセット本体１の間がカールコード２により接続状態にあり、通話する場合は、電話機のハンドセット載置部よりハンドセット本体１を取り上げて通話に供する。
【００４３】
通話中カールコード２に過大な力が作用しないときには、図６に示すようにモジュラーコネクタ４はモジュラーコネクタ取り付け部１ｅのほぼ中央位置にあり、この状態でカールコード２に引張り力が作用した場合、モジュラーコネクタ取り付け部１ｅの側壁内面に突設した突出部１ｉがモジュラーコネクタ４の開口部４ａ側面を支持するが、モジュラーコネクタ４の中心Ｏに対し、斜め方向に引張り力やねじり力が作用すると、突出部１ｉを支点としてモジュラーコネクタ取り付け部１ｅ内の隙間をモジュラーコネクタ４が図７または図８に示す方向へ揺動し、同時にモジュラーコネクタ４に嵌合されたカールコードプラグ３もモジュラーコネクタ４と共に回動するため、モジュラーコネクタ４とカールコードプラグ３に過大な引張り力やねじり力による曲げモーメントが作用するのを防止できる。
【００４４】
これによってモジュラーコネクタ４が破損するのを防止することができると共に、モジュラーコネクタ４内でカールコードプラグ３が摺動することがないため、長期間使用していても、摺動面や接点が摩耗することもない。
【００４５】
またハンドセット本体１よりカールコード２を取り外す場合は、係止爪３ｂの先端を押し上げることにより、開口部４ａの開口縁より係止突起３ｃが外れるので、この状態でカールコード２を引張ることにより、ハンドセット本体１よりカールコード２を図４に示すように簡単に取り外すことができる。
【００４６】
なお、前記作用説明では、カールコード２に水平方向から引張り力やねじり力が作用した場合について説明したが、カールコード２に垂直方向の引張り力やねじり力が作用した場合でも、前記実施の形態と同様な構成で対応することができる。
【産業上の利用可能性】
【００４７】
本発明のハンドセットとカールコードの接続構造は、モジュラーコネクタに過大な引張り力やねじり力による曲げモーメントが作用することがないため、モジュラーコネクタやカールコードプラグが破損したり、モジュラーコネクタよりカールコードプラグが抜け外れてしまうことがなく、しかも、モジュラーコネクタ内でカールコードプラグが摺動することがないため、長期間使用していても摺動面や接点が摩耗することがなくなり、これによって接触不良を起こすことがないため信頼性が向上すると共に、別部品を必要とせずにモジュラーコネクタやカールコードプラグを保護することができるため、部品コストの削減が図れるようになるため、ハンドセットとカールコードの接続構造及び前記接続構造を採用した電話機のハンドセット等に最適である。
【図面の簡単な説明】
【００４８】
【図１】本発明の実施の形態になるカールコード接続構造を採用したハンドセットの斜視図
【図２】本発明の実施の形態になるカールコード接続構造を採用したハンドセットからカールコードを外した状態の斜視図
【図３】図１のＡ−Ａ線に沿う断面図
【図４】図２のＢ−Ｂ線に沿う断面図
【図５】本発明の実施の形態になるカールコード接続構造のモジュラーコネクタ取り付け部を示す図１のＣ−Ｃ線に沿う断面図
【図６】本発明の実施の形態になるカールコード接続構造のカールコードに引張り力がかかっていない状態を示す作用説明図
【図７】本発明の実施の形態になるカールコード接続構造のカールコードに一方への引張り力がにかかっている状態を示す作用説明図
【図８】本発明の実施の形態になるカールコード接続構造のカールコードに他方への引張り力がかかっている状態を示す作用説明図
【符号の説明】
【００４９】
１      ハンドセット本体
１ｅ    モジュラーコネクタ取り付け部
１ｄ    挿入口
１ｉ    突出部
２      カールコード
３      カールコードプラグ
４      モジュラーコネクタ
５      隙間
【図１】
2006197493.tif 000003
【図２】
2006197493.tif 000004
【図３】
2006197493.tif 000005
【図４】
2006197493.tif 000006
【図５】
2006197493.tif 000007
【図６】
2006197493.tif 000008
【図７】
2006197493.tif 000009
【図８】
2006197493.tif 000010